(57)【要約】【課題】端末の状態に応じて入力形態を好適に制御する手袋型携帯端末を提供する。【解決手段】携帯端末と手袋を一体化した手袋型携帯端末であって、第一の入力モードまたは第一の入力モードと異なる第二の入力モードを備えた入力受付手段と、手袋の第一の状態と第二の状態とを検出する状態検出手段と、状態検出手段により第一の状態が検出された場合、入力受付手段を第一の入力モードとし、第二の状態が検出された場合、入力受付手段を第二の入力モードとする制御を行う入力モード制御手段とを備えた。【選択図】  図３
2010250708.tif 000002
【特許請求の範囲】
【請求項１】
携帯端末と手袋を一体化した手袋型携帯端末において、
第一の入力モードまたは前記第一の入力モードと異なる第二の入力モードを備えた入力受付手段と、
前記手袋の第一の状態と第二の状態とを検出する状態検出手段と、
前記状態検出手段により前記第一の状態が検出された場合、前記入力受付手段を前記第一の入力モードとし、前記第二の状態が検出された場合、前記入力受付手段を前記第二の入力モードとする制御を行う入力モード制御手段とを備えたことを特徴とする手袋型携帯端末。
【請求項２】
前記手袋の動作を検出する動作検出手段と、
少なくとも一部の前記手袋の接触物に対して描かれた軌跡を検出する軌跡検出手段とをさらに備え、
前記入力受付手段は、前記第一の入力モードである場合、前記動作検出手段により検出された前記動作を前記入力信号として受け付け、前記第二の入力モードである場合、前記軌跡検出手段により検出された前記軌跡を前記入力信号として受け付け、
前記状態検出手段は、前記手袋の前記接触物が存在しない状態を前記第一の状態として検出し、前記手袋の前記接触物が存在する状態を前記第二の状態として検出する請求項１記載の手袋型携帯端末。
【請求項３】
前記手袋の動作を検出する動作検出手段をさらに備え、
前記入力受付手段は、前記第一の入力モードである場合、前記動作検出手段により検出された前記動作を前記入力信号として受け付け、前記第二の入力モードである場合、入力信号を受け付けず、
前記状態検出手段は、前記手袋の特定の動作が行われた状態を前記第一の状態として検出し、前記手袋の前記動作が行われない状態を前記第二の状態として検出する請求項１記載の手袋型携帯端末。
【請求項４】
前記入力受付手段が前記第一の入力モードである場合、最後に入力を受け付けてから所定時間経過したか否かを判定する判定手段をさらに備え、
前記入力モード制御手段は、前記判定手段により前記時間が経過したと判定された場合、前記入力受付手段を前記第一の入力モードから前記第二の入力モードへ移行させる請求項３記載の手袋型携帯端末。
【請求項５】
前記手袋型携帯端末において実行される処理を制御する処理制御手段と、
前記手袋の特定の動作を検出する動作検出手段とをさらに備え、
前記処理制御手段は、前記動作検出手段により前記動作が検出された場合、前記動作に対応付けられた前記処理を実行する請求項１〜３のいずれかに記載の手袋型携帯端末。
【請求項６】
前記手袋の手の甲側に配置された表示手段をさらに備えた請求項１〜３のいずれかに記載の手袋型携帯端末。
【請求項７】
前記表示手段は、ほぼ矩形状に構成され、前記矩形の長手方向と前記手袋の指の長さ方向とがほぼ一致して配置された請求項６記載の手袋型携帯端末。
【請求項８】
前記手袋の手の甲側に配置され、表示手段を備えた外部機器を装着するための接続手段をさらに備えた請求項１〜３のいずれかに記載の手袋型携帯端末。
【請求項９】
音声を出力する音声出力手段と、
音声を集音する集音手段とをさらに備えた請求項１〜３のいずれかに記載の手袋型携帯端末。
【請求項１０】
前記音声出力手段は、前記手袋の手のひら側の親指のほぼ根元付近に設けられ、
前記集音手段は、前記手袋の手のひら側の小指付近に設けられた請求項９記載の手袋型携帯端末。
【請求項１１】
遠距離無線通信を行う遠距離通信手段と、
前記遠距離無線通信を行うためのアンテナとをさらに備え、
前記アンテナは、前記手袋の手の甲側に配置された請求項１〜３のいずれかに記載の手袋型携帯端末。
【請求項１２】
近距離無線通信を行う近距離通信手段と、
前記近距離無線通信を行うためのアンテナとをさらに備え、
前記アンテナは、前記手袋の手のひら側に配置された請求項１〜３のいずれかに記載の手袋型携帯端末。
【発明の詳細な説明】
【技術分野】
【０００１】
本発明は、携帯端末を手袋のように装着して利用できるようにした手袋型携帯端末に関する。
【背景技術】
【０００２】
従来、携帯電話機を代表とする携帯端末は、ストレート式や折り畳み式、スライド式などの箱型の筐体により本体が構成されたものが広く用いられている。
【０００３】
これらの携帯端末を使用する場合、ユーザは一方の手で携帯端末を保持し、他方の手で入力操作を行う。または、ユーザは、一方の手で携帯端末を保持し、その携帯端末を保持した手の指で入力操作を行う。
【０００４】
しかし、多くの携帯端末は、片手で操作するには安定性が保てず、思うように入力操作を行うことができないのが現状である。また、両手がふさがっている場合には、携帯端末の保持すらできない。このため、例えば携帯端末に着信が発生しても、応答操作を行うことができない。
【０００５】
ここで、従来、片手で把持でき操作の自由度が高く、しかも把持した状態でも上下両面に設けた操作スイッチを操作でき、片方の手を空けることができるゲーム用操作装置が知られている（例えば、特許文献１および２参照）。
【０００６】
このゲーム用操作装置を、携帯端末の操作形態に取り入れることにより、従来の箱型本体の携帯端末の操作を片手で自由度高く入力操作を行うことができると考えられる。
【０００７】
しかし、片手のみがふさがっている場合には効果的に作用するが、両手がふさがっている場合には、依然として携帯端末を使用することができない。
【０００８】
そこで、この課題を改善するものとして、携帯電話端末を手袋に利用した手袋型携帯電話端末が提案されている（例えば、特許文献３参照）。
【先行技術文献】
【特許文献】
【０００９】
【特許文献１】特開２００７−８３０２４号公報
【特許文献２】特開２００７−３１３３５４号公報
【特許文献３】特開２００６−１６５８９２号公報
【発明の概要】
【発明が解決しようとする課題】
【００１０】
携帯端末を上述した手袋型携帯電話端末として構成することにより、両手がふさがっている場合であっても、携帯端末を装着した手の動作などを介して入力操作を可能とすることができる。
【００１１】
しかし、このような携帯端末は、日常生活で頻繁に使用される手や指に装着されるため、ユーザが意図しない動作までも入力操作と誤認識されてしまうことが想定される。また、携帯端末を装着した際に両手が物を保持している場合においても、入力操作を行えることが望ましい。
【００１２】
本発明はこのような事情を考慮してなされたもので、端末の状態に応じて入力形態を好適に制御する手袋型携帯端末を提供することを目的とする。
【課題を解決するための手段】
【００１３】
本発明に係る手袋型携帯端末は、上述した課題を解決するために、第一の入力モードまたは前記第一の入力モードと異なる第二の入力モードを備えた入力受付手段と、前記手袋の第一の状態と第二の状態とを検出する状態検出手段と、前記状態検出手段により前記第一の状態が検出された場合、前記入力受付手段を前記第一の入力モードとし、前記第二の状態が検出された場合、前記入力受付手段を前記第二の入力モードとする制御を行う入力モード制御手段とを備えたことを特徴とする。
【発明の効果】
【００１４】
本発明に係る手袋型携帯端末においては、端末の状態に応じて入力形態を好適に制御することができる。
【図面の簡単な説明】
【００１５】
【図１】本発明に係る手袋型携帯端末の実施形態を示す右手のひら側の部品配置構成図。
【図２】本発明に係る手袋型携帯端末の実施形態を示す右手の甲側の部品配置構成図。
【図３】本発明に係る手袋型携帯端末の実施形態を示す右手の甲側の部品配置斜視図。
【図４】手袋型携帯端末の内部構成を説明する機能ブロック図。
【図５】本実施形態における手袋型携帯端末が手袋の状態に応じて入力モードを制御する場合の処理を説明するフローチャート。
【図６】指の動作で入力を受け付ける第一の入力モードを説明する図。
【図７】親指により接触物に対して描かれた軌跡で入力を受け付ける第二の入力モードを説明する図。
【図８】本実施形態における手袋型携帯端末が手袋の状態に応じて入力モードを制御する場合の他の処理を説明するフローチャート。
【図９】手袋型携帯端末で音声通話を行う場合の使用例を説明する図。
【図１０】各種機能の実行指示としての手袋の動作の一例を説明する図。
【図１１】本実施形態における手袋型携帯端末の変形例を説明する図。
【発明を実施するための形態】
【００１６】
本発明に係る手袋型携帯端末の実施形態を添付図面に基づいて説明する。
【００１７】
本実施形態においては、携帯端末と五本指を備えた手袋とを一体化した手袋型携帯端末の例を用いて説明する。
【００１８】
図１は、本発明に係る手袋型携帯端末の実施形態を示す右手のひら側の部品配置構成図である。図２は、本発明に係る手袋型携帯端末の実施形態を示す右手の甲側の部品配置構成図である。図３は、本発明に係る手袋型携帯端末の実施形態を示す右手の甲側の部品配置斜視図である。
【００１９】
手袋型携帯端末１の手袋１０は、例えば外部に露出する外部手袋と、この外部手袋に被覆された内部手袋の二重構造で構成することができる。以下に説明する手袋型携帯端末１に配置される電子部品は、内部手袋に固着されると同時に、外部に露出する必要がある電子部品（例えばディスプレイ）以外は、外部手袋によって覆われることで保護することができる。以下、特に外部手袋と内部手袋とを区別せずに手袋１０として説明を行う。なお、手袋型携帯端末１を構成する手袋１０は、手の動きを考慮して伸縮自在かつ可撓性のある生地で構成されるのが好ましい。
【００２０】
図１に示すように、手袋１０の手のひら１３側には、スピーカ１１、マイクロフォン１２、手のひら１３および静電センサ１４ａ、１４ｂ、１４ｃ、１４ｄ（静電センサ１４）が設けられる。
【００２１】
スピーカ１１は、音声を出力する音声出力手段として設けられる。スピーカ１１は、例えば手袋１０の親指１５ａの根元付近であって、親指１５ａの人差し指１５ｂ側側面と、人差し指１５ｂの親指１５ａ側側面の交差位置付近に設けられる。手袋型携帯端末１は、スピーカ１１が手のひら１３側に設けられることで、出力される音を手のひら１３および各指１５ａ、１５ｂ、１５ｃ、１５ｄ、１５ｅ（指１５）で反響させ、十分に音声を響かせることができる構造を備えることができる。
【００２２】
マイクロフォン１２は、音を集音する集音手段として設けられる。マイクロフォン１２は、例えば手袋１０の小指１５ｅであって、末節骨位置に設けられる。
【００２３】
スピーカ１１およびマイクロフォン１２は、音声通話に用いられる。またスピーカ１１は、例えば音声通話の着信音や音楽などを鳴らすのに用いる。
【００２４】
静電センサ１４は、静電容量の変化を用いて、手袋１０の動作を検出する。この静電センサ１４は、例えば親指１５ａの指先（末節骨）、および人差し指１５ｂ、中指１５ｃ、薬指１５ｄの根元付近に設けられる。人差し指１５ｂ、中指１５ｃおよび薬指１５ｄに設けられた三つの静電センサ１４ｂ、１４ｃ、１４ｄは、静電容量の変化により手袋１０の少なくとも一部（静電センサ１４ｂ、１４ｃ、１４ｄの検出範囲内の一部）の接触物の有無を検出するようになっている。なお、手袋１０の接触物としては、手袋型携帯端末１を装着した使用者により保持された物や、自動車や自転車のハンドルのように握られる対象となる物などが該当する。
【００２５】
また、親指１５ａに設けられた静電センサ１４ａは、手袋型携帯端末１の使用者により行われた親指１５ａの動作に基づいて、手袋１０の接触物に対して描かれた軌跡を検出するようになっている。この静電センサ１４ａで検出された軌跡は、後述するように入力信号として受け付けられるようになっている。
【００２６】
近距離無線用アンテナ１６は、手袋型携帯端末１に設けられたＦｅｌｉｃａ（登録商標）を一例とするＩＣカード部（図４のＩＣカード部４６）が外部のリーダ／ライタ装置と近距離無線通信を行うためのアンテナである。この近距離無線用アンテナ１６は、例えば手袋１０の手のひら１３のほぼ中央位置に設けられる。また、ＩＣカード部は、手の甲２１または手のひら１３の所定の位置に設けられる。
【００２７】
図２および図３に示すように、手袋の手の甲２１側には、加速度センサ２５ａ、２５ｂ、２５ｃ、２５ｄ、２５ｅ（加速度センサ２５）、屈曲センサ２６ａ、２６ｂ、２６ｃ、２６ｄ、２６ｅ（屈曲センサ２６）、ディスプレイ２７、遠距離無線用アンテナ２８、バッテリパック３０、回路基板３１が設けられる。
【００２８】
加速度センサ２５は、所定の動作、具体的には使用者が手袋型携帯端末１を装着した手を振る動作や指を動かす動作に伴う加速度の変化を検出する。加速度センサ２５は、例えば各指１５の指先（末節骨）位置に設けられる。
【００２９】
屈曲センサ２６は、加速度センサ２５と同様に、所定の動作、具体的には使用者が手袋型携帯端末１を装着した手を握ったり開いたりする動作に伴う各指の屈曲を検出する。屈曲センサ２６は、例えば各指１５の屈曲を検出可能な位置である、関節位置に少なくとも一部が配置されるようになっている。屈曲センサ２６は、フィルムを用いた薄型の静電容量型の屈曲センサなどで構成することができる。
【００３０】
ディスプレイ２７は、表示手段として機能する。このディスプレイ２７は、薄型で変形可能なディスプレイで構成される。具体的には、ディスプレイ２７は、例えばプラスチックフィルムなどの上に有機ＥＬ（ＥｌｅｃｔｒｏＬｕｍｉｎｅｓｃｅｎｃｅ）や有機発光ダイオード（Ｏｒｇａｎｉｃ  ｌｉｇｈｔ−ｅｍｉｔｔｉｎｇ  ｄｉｏｄｅ；ＯＬＥＤ)の層が形成されたフレキシブルディスプレイで構成される。
【００３１】
ディスプレイ２７は、矩形状に構成される。また、ディスプレイ２７は、矩形の長手方向と手袋１０の指１５の長さ方向とがほぼ一致するように配置される。ディスプレイ２７はこのように配置されることで、手袋１０の他の部分に配置する場合と比較してそれほどフレキシブル性を必要としない点で有効である。また、使用者が手袋型携帯端末１を装着した手に物を保持している場合であっても視認することができる点で有効である。
【００３２】
さらに、ディスプレイ２７は、他の部分と比較して、大きな面積をとることができる手袋１０の手の甲２１側に配置されることで、大画面を備えた手袋型携帯端末１を得ることができる。
【００３３】
遠距離無線用アンテナ２８は、通信制御部（図４の通信制御部４５）が基地局（図示せず）との間で電波を送受信し、遠距離無線通信を行うために用いられるアンテナである。遠距離無線用アンテナ２８は手袋１０の手の甲２１側の所定の位置に配置されることで、使用者が手袋型携帯端末１を装着した手に物を保持している場合であってもアンテナ特性に影響が生じず、放射特性がよい点で有効である。
【００３４】
バッテリパック３０は、手袋型携帯端末１の電源がオン状態になると、手袋型携帯端末１の各回路部に対して電力を供給し、動作可能な状態に起動するようになっている。バッテリパック３０は、例えばディスプレイ２７より図示下側の手の甲２１の手首近傍に設けられる。また、手袋１０には、バッテリパック３０の充電用コネクタを接続するための接続端子（図示せず）が所定位置に設けられる。
【００３５】
回路基板３１は、手の甲２１のほぼ全域にわたって配置され、ＣＰＵ３５などの各種電子部品が実装される。回路基板３１は、薄くて柔軟であるフレキシブル回路基板で構成される。回路基板３１は、ディスプレイ２７、スピーカ１１、マイクロフォン１２、各センサ１４、２５、２６などの手袋型携帯端末１の各電子部品とそれぞれ電気的に接続される。
【００３６】
図４は、手袋型携帯端末１の内部構成を説明する機能ブロック図である。
【００３７】
手袋型携帯端末１は、主制御部４０、電源回路部４１、表示制御部４２、入力制御部４３、音声制御部４４、通信制御部４５、ＩＣカード部４６、赤外線通信部４７、記憶部４９、静電センサ１４、加速度センサ２５、および屈曲センサ２６がバスによって相互に通信可能に接続されて構成されている。
【００３８】
主制御部４０は、ＣＰＵ（Ｃｅｎｔｒａｌ  Ｐｒｏｃｅｓｓｉｎｇ  Ｕｎｉｔ）（図２のＣＰＵ３５）を具備し、手袋型携帯端末１の総括的な制御を行うとともに、様々な演算処理や制御処理などを行う。また、主制御部４０は、本実施形態においては処理制御手段として機能する。
【００３９】
電源回路部４１は、電源供給源（図２のバッテリパック３０など）を備え、電源がＯＮ状態の場合に電力供給源から各部に対して電力を供給して、手袋型携帯端末１を動作可能にする。
【００４０】
表示制御部４２はディスプレイ２７に対する表示インタフェースを備える。表示制御部４２は、主制御部４０の制御に基づいて、文書データや画像データなどをディスプレイ２７に表示する。また表示制御部４２は、主制御部４０の制御に基づいて、ディスプレイ２７への表示を無効にしたり有効にしたりする。
【００４１】
入力制御部４３は、静電センサ１４、加速度センサ２５および屈曲センサ２６に対する入力インタフェースを備える。入力制御部４３は、静電センサ１４、加速度センサ２５および屈曲センサ２６からの検出信号を検出すると、その検出信号に応じた信号を生成して主制御部４０に伝送する。この入力制御部４３は、入力受付手段として機能する。
【００４２】
音声制御部４４は、主制御部４０の制御に基づいて、マイクロフォン１２で集音された音声からアナログ音声信号を生成し、このアナログ音声信号をデジタル音声信号に変換する。また音声制御部４４は、デジタル音声信号を取得すると、主制御部４０の制御に基づいて、このデジタル音声信号をアナログ音声信号に変換し、スピーカ１１から音声として出力する。
【００４３】
通信制御部４５は、主制御部４０の制御に基づいて、基地局から遠距離無線用アンテナ２８を介して受信した受信信号を、例えば、スペクトラム逆拡散処理してデータを復元する。このデータは、主制御部４０の指示により、音声制御部４４に伝送されてスピーカ１１から出力されたり、表示制御部４２に伝送されてディスプレイ２７に表示されたり、または記憶部４９に記録されたりする。また通信制御部４５は、主制御部４０の制御に基づいて、マイクロフォン１２で集音された音声データや記憶部４９に記憶されたデータを取得すると、これらのデータに対して、例えば、スペクトラム拡散処理を行い、基地局に対して遠距離無線用アンテナ２８を介して送信する。
【００４４】
ＩＣカード部４６は、例えば課金データ制御部を有し、リーダ／ライタ装置（図示せず）との間で数ｃｍ程度の非常に近接した距離での近距離無線通信を、手のひら１３を介して行う。この近接無線通信においては、リーダ／ライタ装置側からの電波を受信して得られる電力を用いて、課金データ制御部を作動させることが可能である。また、これに限らず、手袋型携帯端末１内の電源回路部４１から供給される電源で、課金データ制御部を作動させるようにしてもよい。
【００４５】
赤外線通信部４７は、他の赤外線通信機能を備えた機器と赤外線を介してデータの送受信を行うために設けられる。手袋型携帯端末１は、データの送受信時においては、所定位置に設けられた赤外線通信部４７の赤外線通信用アンテナ４８を対向機器の赤外線通信部に向けて使用される。
【００４６】
記憶部４９は、主制御部４０が行う処理に用いられる処理プログラムや、処理に必要なデータなどを格納するＲＯＭ（Ｒｅａｄ  Ｏｎｌｙ  Ｍｅｍｏｒｙ）やハードディスク、不揮発性メモリ、主制御部４０が処理を行う際に使用されるデータを一時的に記憶するＲＡＭ（Ｒａｎｄｏｍ  Ａｃｃｅｓｓ  Ｍｅｍｏｒｙ）などから構成される。
【００４７】
次に、本実施形態における手袋型携帯端末１で実行される各種処理について説明する。
【００４８】
まず、手袋型携帯端末１で行われる入力操作について説明する。本実施形態における手袋型携帯端末１は、手袋１０の状態に応じて、入力モードが切り替わるようになっている。手袋１０の状態に応じて適した入力形態で入力を行わせたり、使用者の意図しない入力を誤認識しないようにしたりするためである。
【００４９】
図５は、本実施形態における手袋型携帯端末１が手袋１０の状態に応じて入力モードを制御する場合の処理を説明するフローチャートである。
【００５０】
ステップＳ１において、主制御部４０は、手袋１０の接触物が存在するか否かの判定を行う。このとき、主制御部４０は、手袋１０の接触物が存在しない状態を第一の状態、接触物が存在する状態を第二の状態として、手袋１０の状態が第一の状態であるか、第二の状態であるかの判定を行う。
【００５１】
このとき、人差し指１５ｂ、中指１５ｃ、薬指１５ｄに設けられた静電センサ１４ｂ、１４ｃ、１４ｄは、状態検出手段として機能する。各静電センサ１４ｂ、１４ｃ、１４ｄは、静電容量の変化に応じて、手袋型携帯端末１を装着した使用者が、何らかの物を握っている状態や、触れている状態を検出することができる。すなわち、各静電センサ１４ｂ、１４ｃ、１４ｄは、接触物の有無を検出することができる。静電センサ１４ｂ、１４ｃ、１４ｄは、検出結果を主制御部４０に通知する。主制御部４０は、静電センサ１４ｂ、１４ｃ、１４ｄより取得した検出結果に基づいて、手袋１０の状態、すなわち接触物の有無の判定を行う。
【００５２】
主制御部４０は、ステップＳ１において接触物が存在しないと判定した場合、ステップＳ２において、入力モード制御手段として入力モードを第一の入力モードに制御する。第一の入力モードは、加速度センサ２５や屈曲センサ２６を手袋１０の動作を検出する動作検出手段として機能させ、検出された動作を入力信号として受け付けるモードである。具体的には、第一の入力モードは、加速度センサ２５や屈曲センサ２６が手袋型携帯端末１を装着した使用者の各指１５の動作を検出することにより、入力を受け付けるモードである。
【００５３】
図６は、指１５の動作で入力を受け付ける第一の入力モードを説明する図である。
【００５４】
例えば、図６（Ａ）に示すように、使用者が人差し指１５ｂを上下左右に動かす動作（図の矢印では上下方向）に基づいて屈曲センサ２６ｂや加速度センサ２５ｂで検出された信号を、ディスプレイ２７に表示されたカーソルを上下左右に動かす入力信号として受け付けたりする。また、図６（Ｂ）に示すように、使用者が人差し指１５ｂを用いて文字（図では「てぶくろ」）を描く動作に基づいて屈曲センサ２６ｂや加速度センサ２５ｂで検出された信号を、文字入力の信号として受け付けたりする。
【００５５】
このように指１５の動作で入力信号を受け付ける場合には、例えば、指１５の動作に対応付けられた入力指示（例えばカーソルの移動方向や文字の種類）を記憶部４９などに予め記憶しておく。主制御部４０は、受け付けた指１５の動作を、記憶された動作と比較し、入力指示の種類を判断することができる。
【００５６】
一方、主制御部４０は、ステップＳ１において接触物が存在すると判定した場合、ステップＳ３において、入力モード制御手段として入力モードを第二の入力モードに制御する。第二の入力モードは、例えば、親指１５ａに設けられた静電センサ１４ａを接触物に対して描かれた軌跡を検出する軌跡検出手段として機能させ、検出された軌跡を入力信号として受け付けるモードである。
【００５７】
図７は、親指１５ａにより接触物に対して描かれた軌跡で入力を受け付ける第二の入力モードを説明する図である。
【００５８】
例えば、図７に示すように、手袋型携帯端末１を装着した使用者が物５１を保持していることで接触物（物５１）が存在している場合、使用者が親指１５ａの静電センサ１４ａ（図示せず）を物５１の表面上で上下左右方向に動かす動作に基づいて静電センサ１４ａで検出された信号を、ディスプレイ２７に表示されたカーソルを上下左右方向に動かす入力信号として受け付ける。また、使用者が親指１５ａの静電センサ１４ａを物５１にタッチすることにより静電センサ１４ａで検出された信号を、所定の指示の入力信号として受け付ける。このとき、静電センサ１４ａが物５１にタッチされた回数や長さに応じて、異なる指示（例えば決定指示やキャンセル指示など）の入力信号として受け付けることで、種々の指示を受け付けることもできる。
【００５９】
この入力モード制御処理を実行する手袋型携帯端末１によれば、使用者が手に物を保持している状態、および保持していない状態を判別し、各状態に応じた入力モードを好適に制御することができる。このため、使用者は、手に物を保持している状態および保持していない状態のいずれの状態であっても、好適に入力操作を行うことができる。
【００６０】
以上で、図５の入力モード制御処理の説明を終了する。
【００６１】
次に、他の入力モード制御処理について説明する。
【００６２】
図８は、本実施形態における手袋型携帯端末１が手袋１０の状態に応じて入力モードを制御する場合の他の処理を説明するフローチャートである。
【００６３】
ステップＳ１１において、主制御部４０は、手袋１０の特定の動作が行われたか否かの判定を行う。主制御部４０は、手袋１０の特定の動作が行われた状態を第一の状態、特定の動作が行われない状態を第二の状態として、手袋１０の状態が第一の状態であるか、第二の状態であるかの判定を行う。手袋１０の特定の動作は、予め決められた動作であり、使用者が手袋型携帯端末１に対して入力操作を開始するための合図となる動作である。
【００６４】
例えば特定の動作を、手袋型携帯端末１を装着した使用者による手を大きく振る動作を所定回数行う動作とした場合、各指１５に設けられた加速度センサ２５は、状態検出手段として機能する。この状態検出手段としての加速度センサ２５は、手袋型携帯端末１の加速度の変化に応じて手を大きく振る動作の検出を行う。
【００６５】
また、特定の動作を、手袋型携帯端末１を装着した使用者による指を握ったり開いたりする動作を所定回数行う動作とした場合、各指１５に設けられた屈曲センサ２６は、状態検出手段として機能する。この状態検出手段としての屈曲センサ２６は、手袋型携帯端末１の曲げ伸ばし動作の検出を行う。
【００６６】
加速度センサ２５および屈曲センサ２６は、手袋１０の特定の動作が行われた状態を第一の状態として検出する。また、加速度センサ２５および屈曲センサ２６は、手袋１０の特定の動作が行われない状態を第二の状態として検出する。加速度センサ２５および屈曲センサ２６は、検出結果を主制御部４０に通知する。主制御部４０は、加速度センサ２５および屈曲センサ２６より取得した検出結果に基づいて、手袋１０の特定の動作が行われた状態であるか否かの判定を行う。
【００６７】
主制御部４０は、ステップＳ１１において特定の動作が行われたと判定した場合、すなわち手袋１０が第一の状態であった場合、ステップＳ１２において、入力モード制御手段として入力モードを第一の入力モードに制御する。第一の入力モードは、加速度センサ２５や屈曲センサ２６を手袋１０の動作を検出する動作検出手段として機能させ、検出された動作を入力信号として受け付けるモードである。この第一の入力モードについては、上述した図５の第一の入力モードとほぼ同様であるため、詳細な説明を省略する。
【００６８】
ステップＳ１３において、主制御部４０は判定手段として、最後に入力を受け付けてから所定時間（例えば３０秒）経過したか否かを判定する。主制御部４０は、最後に入力を受け付けてから所定時間が経過していないと判定した場合、ステップＳ１２に戻り第一の入力モードで入力の受付を維持する。
【００６９】
一方、主制御部４０は、最後に入力を受け付けてから所定時間経過したと判定した場合、ステップＳ１４において、入力モード制御手段として第一の入力モードから、第二の入力モードに移行する。第二の入力モードは、動作検出手段としての加速度センサ２５や屈曲センサ２６から入力を受け付けないモードである。使用者が入力を行う必要がなくなった後においても依然として入力を受け付ける第一の入力モードが設定されていた場合、使用者の意図しない動作までも入力信号として受け付けてしまう可能性がある。このため、所定時間経過した後は、誤操作を防止するため、第一の入力モードから第二の入力モードに移行させるようになっている。
【００７０】
主制御部４０は、ステップＳ１１において特定の動作が行われないと判定した場合、すなわち、手袋１０が第二の状態であった場合、ステップＳ１５において、入力モード制御手段として入力モードを入力の受付を行わない第二の入力モードに制御する。なお、このとき動作検出手段としての加速度センサ２５や屈曲センサ２６以外からの入力は受け付けるようにしてもよいし、一切の入力を受け付けないようにしてもよい。
【００７１】
この他の入力モード制御処理を実行する手袋型携帯端末１によれば、特定の動作を検出することで、使用者が入力操作を意図する場合としない場合とを好適に判別することができる。このため、手袋型携帯端末１は、使用者の意図しない手の動作を入力操作と誤認識することを低減することができる。
【００７２】
以上で、図８の他の入力モード制御処理の説明を終了する。
【００７３】
次に、手袋型携帯端末１を用いて音声通話を行う場合の処理を説明する。
【００７４】
図９は、手袋型携帯端末１で音声通話を行う場合の使用例を説明する図である。
【００７５】
手袋型携帯端末１は、音声通話を行うために、スピーカ１１およびマイクロフォン１２（図１参照）が手のひら１３側に設けられる。
【００７６】
図９（Ａ）は、音声通話時の手袋型携帯端末１の第一の使用例を示す図である。図９（Ａ）では、使用者が手に物を所持していない場合の音声通話例を示している。使用者は、手袋型携帯端末１を装着した手の親指１５ａと小指１５ｅを伸ばし、他の人差し指１５ｂと中指１５ｃと薬指１５ｄとを握った状態にすることで、手袋１０を電話をイメージした形に構成している。スピーカ１１は、手袋１０の手のひら１３側の親指１５ａの根元付近（図１参照）に設けられたため、使用者は通話相手の音声を好適に聞き取ることができる。
【００７７】
また、マイクロフォン１２は、手袋１０の手のひら１３側の小指１５ｅの指先（末節骨位置）（図１参照）に設けられたため、使用者の音声を好適に集音することができる。
【００７８】
図９（Ｂ）は、音声通話時の手袋型携帯端末１の第二の使用例を示す図である。図９（Ｂ）では、使用者が手に物５１を所持している場合の音声通話例を示している。使用者は、手袋型携帯端末１を装着した手に所持した物５１を受話器に見立て、耳元に近づける。このとき、親指１５ａの根元付近に設けられたスピーカ１１（図１参照）と、小指１５ｅの指先（末節骨）位置（図１参照）に設けられたマイクロフォン１２とが、使用者の耳元と口元に近づき、音声通話を行うことができる。
【００７９】
このように、スピーカ１１およびマイクロフォン１２を音声通話時の位置関係を考慮して配置構成したため、手袋型携帯端末１を装着した使用者が手に物を保持している場合でも、保持していない場合であっても、自然な状態で音声通話を行うことができる。
【００８０】
次に、手袋型携帯端末１で実行される各種機能（アプリケーション）の実行指示について説明する。この手袋型携帯端末１では、例えば音声通話機能、ＩＣカード機能を代表とする各種機能が備えられている。以下、これら機能を実行させるための入力操作について説明する。
【００８１】
手袋型携帯端末１は、各種センサを備えることで、特定の動作を検出することができる。この手袋型携帯端末１は、この特定の動作を、各種機能の実行指示として認識するようになっている。
【００８２】
図１０は、各種機能の実行指示としての手袋１０の動作の一例を説明する図である。
【００８３】
図１０（Ａ）に示す動作は、例えば手首のスナップを利かせて手を強く振る動作である。手袋型携帯端末１は、この手を振る動作を、例えば加速度センサ２５を動作検出手段として用いて検出することができる。図１０（Ｂ）に示す動作は、手を所定時間握る動作である。手袋型携帯端末１は、手を握る動作を、例えば屈曲センサ２６を用いて検出することができる。
【００８４】
手袋型携帯端末１は、図１０（Ａ）および（Ｂ）に示す動作を実行指示として検出することで、所定の機能、例えば近距離無線通信機能であるＩＣカード機能を起動させる処理や、音声着信が発生した際に着信応答を行う処理をはじめとする各種処理を実行（起動）するようになっている。
【００８５】
特に、図１０（Ｂ）に示す、手を所定時間握った後（左図）、その手を開く動作（右図）を検出した場合にＩＣカード機能の実行指示に割り当てた場合、例えば駅の改札に設置されたリーダ／ライタ装置５５と近距離無線通信を行う際、簡易にＩＣカード機能を起動させることができる点で有効である。またこのとき、ＩＣカード部４６の課金データ制御部から得られるデータ（図では「５００円」）を、ディスプレイ２７に表示してもよい。
【００８６】
図１０（Ｃ）に示す動作は、他の手袋型携帯端末と握手をする動作である。手袋型携帯端末１は、他の手袋型携帯端末と握手をする動作を、例えば静電センサ１４を用いて検出することができる。手袋型携帯端末１は握手をすることで、赤外線通信部４７を用いた赤外線通信機能を起動させるようになっている。手袋型携帯端末１は、赤外線通信機能の起動後、赤外線通信機能を備えた他の端末と赤外線を介してデータの送受信を簡易に行うことができる。
【００８７】
図１０（Ｄ）に示す動作は、手を電話をイメージした形にする動作である。手袋型携帯端末１は、手を電話をイメージした形にする動作を、例えば屈曲センサ２６で検出することができる。手袋型携帯端末１は、手を電話をイメージした形にする動作を行うことで、音声通話が発生した際に着信応答を行う処理を簡易に実行するようになっている。
【００８８】
このように、手袋型携帯端末１は、手袋１０の各種処理の実行に、それぞれ特定の動作を割り当てた。このため、使用者は、例えば図１０に示す特定の動作を行うことで、煩雑な操作を行うことなく各種処理の実行指示を入力することができる。
【００８９】
以上で、手袋型携帯端末１で実行される各種処理の実行操作の説明を終了する。
【００９０】
本実施形態における手袋型携帯端末１には、表示手段としてのディスプレイ２７を手の甲２１に設けた例を説明した。しかし、手袋型携帯端末１は、固定のディスプレイ２７を設けず、ディスプレイを備えた外部機器を手袋１０に取り付けることで表示手段を実現してもよい。
【００９１】
図１１は、本実施形態における手袋型携帯端末の変形例を説明する図である。
【００９２】
図１１に示す手袋型携帯端末８０が図１などに示す手袋型携帯端末１と異なる点は、ディスプレイ２７を設ける代わりに、外部接続端子８３およびガイド部８４を設けた点である。他の構成については、図１などに示す手袋型携帯端末１とほぼ同様の構成であるため、詳細な説明を省略する。
【００９３】
手袋８１の手の甲８２側には、外部機器９０を装着するための接続手段としての外部接続端子８３が設けられる。この外部接続端子８３は、少なくとも表示データに関する情報を外部機器９０に出力するための端子が設けられている。
【００９４】
また、手袋８１の手の甲８２側には、ガイド部８４が設けられる。ガイド部８４は、外部機器９０の形状に対応した略コ型で形成される。ガイド部８４を設けることで、外部接続端子８３に外部機器９０をスムーズに装着することができる。
【００９５】
外部接続端子８３およびガイド部８４は、外部機器９０の長手方向が手袋型携帯端末８０の指の長さ方向に一致するように構成される。このように構成することで、フレキシブル性が得られない外部機器９０であっても、比較的大きな配置面積を確保することができる。
【００９６】
この外部機器９０には、表示手段として機能するディスプレイ９１を備えたものが適用される。そして、手袋型携帯端末８０は、表示データに関する情報を外部接続端子８３を介して外部機器９０に出力することで、外部機器９０のディスプレイ９１を表示手段として機能させることができる。
【００９７】
なお、外部機器９０を表示手段として用いる例を説明したが、これに限らず手袋型携帯端末８０を入力手段として用い、他の機能（例えば通信機能など）を外部機器９０において実行させるように構成してもよい。
【００９８】
なお、本実施形態における手袋型携帯端末１、８０は、各電子部品の配置構成の一例を説明したが、本発明の効果を得ることができれば、各電子部品が他の位置に配置されてもよい。
【００９９】
また、本実施形態で適用されたスピーカ１１またはマイクロフォン１２に替えて、それぞれ骨伝導式のスピーカまたはマイクロフォンを用いてもよい。この場合、例えば作業場のように周囲が騒がしい場所であっても、骨伝導によって良好に通話することができる。
【０１００】
さらに、手袋１０は、手および指を全て覆う必要なく、例えば指先部分が裁断されたいわゆるフィンガーレス手袋で構成してもよい。
【符号の説明】
【０１０１】
１  手袋型携帯端末
１０  手袋
１１  スピーカ
１２  マイクロフォン
１３  手のひら
１４、１４ａ、１４ｂ、１４ｃ、１４ｄ  静電センサ
１５、１５ａ、１５ｂ、１５ｃ、１５ｄ、１５ｅ  指
１６  近距離無線用アンテナ
２５、２５ａ、２５ｂ、２５ｃ、２５ｄ、２５ｅ  加速度センサ
２６、２６ａ、２６ｂ、２６ｃ、２６ｄ、２６ｅ  屈曲センサ
２７  ディスプレイ
２８  遠距離無線用アンテナ
３０  バッテリパック
３１  回路基板
３５  ＣＰＵ
４０  主制御部
４１  電源回路部
４２  表示制御部
４３  入力制御部
４４  音声制御部
４５  通信制御部
４６  ＩＣカード部
４７  赤外線通信部
４８  赤外線通信用アンテナ
４９  記憶部
８０  手袋型携帯端末
８１  手袋
８３  外部接続端子
８４  ガイド部
９０  外部機器
９１  ディスプレイ
【図１】
2010250708.tif 000003
【図２】
2010250708.tif 000004
【図３】
2010250708.tif 000005
【図４】
2010250708.tif 000006
【図５】
2010250708.tif 000007
【図６】
2010250708.tif 000008
【図７】
2010250708.tif 000009
【図８】
2010250708.tif 000010
【図９】
2010250708.tif 000011
【図１０】
2010250708.tif 000012
【図１１】
2010250708.tif 000013